(57)【要約】【課題】紙幣を短手姿勢で取り扱う紙葉類処理装置と紙幣を長手姿勢で取り扱う紙葉類処理装置との間で、紙幣を移し替えることができるようにする。【解決手段】紙葉類処理システムＡは、短手姿勢と長手姿勢のうちの一方の姿勢で紙葉類を搬送し収容する紙葉類処理装置１と、短手姿勢と長手姿勢のうちの他方の姿勢で前記紙葉類を収容する紙葉類収容部３と、前記紙葉類処理装置１と前記紙葉類収容部３のうちの一方から前記紙葉類を受け取り、短手姿勢と長手姿勢との間で前記紙葉類の搬送姿勢を変換し、前記紙葉類処理装置１と前記紙葉類収容部３のうちの他方に前記紙葉類を渡す姿勢変換部４と、を有する。【選択図】図１
2018152029.tif 000002
【特許請求の範囲】
【請求項１】
短手姿勢と長手姿勢のうちの一方の姿勢で紙葉類を搬送し収容する紙葉類処理装置と、
短手姿勢と長手姿勢のうちの他方の姿勢で前記紙葉類を収容する紙葉類収容部と、
前記紙葉類処理装置と前記紙葉類収容部のうちの一方から前記紙葉類を受け取り、短手姿勢と長手姿勢との間で前記紙葉類の搬送姿勢を変換し、前記紙葉類処理装置と前記紙葉類収容部のうちの他方に前記紙葉類を渡す姿勢変換部と、
を有する紙葉類処理システム。
【請求項２】
前記紙葉類処理装置は、前記姿勢変換部が着脱される着脱部を有する、請求項１記載の紙葉類処理システム。
【請求項３】
前記紙葉類処理装置は、前記着脱部を、前記紙葉類処理装置の前面側、背面側、又は、上面側に有する、請求項２記載の紙葉類処理システム。
【請求項４】
前記紙葉類処理装置は、
紙葉類を収納する施錠可能な収納庫と、
前記収納庫の上部に配置される処理部であって、前記紙葉類の投入及び排出の少なくとも一方が行われる開口が設けられるとともに前記開口と前記収納庫との間で前記紙葉類を搬送する搬送部を備える処理部と、を更に備え、
前記紙葉類処理装置は、前記着脱部を、前記紙葉類処理装置の前面側であって、前記処理部の下方に有する、請求項３記載の紙葉類処理システム。
【請求項５】
前記姿勢変換部は、前記紙葉類処理装置内に配置される、請求項１記載の紙葉類処理システム。
【請求項６】
前記紙葉類収容部を複数有し、
前記姿勢変換部は、複数の前記紙葉類収容部と接続され、前記紙葉類処理装置と複数の前記紙葉類収容部との間における前記紙葉類の受け渡しを順次行う、請求項１乃至５のいずれかに記載の紙葉類処理システム。
【請求項７】
短手姿勢と長手姿勢のうちの一方の姿勢で紙葉類を搬送し収容する紙葉類処理装置と、
短手姿勢と長手姿勢のうちの他方の姿勢で前記紙葉類を収容する紙葉類収容部と、
前記紙葉類処理装置と前記紙葉類収容部のうちの一方から前記紙葉類を受け取り、短手姿勢と長手姿勢との間で前記紙葉類の搬送姿勢を変換し、前記紙葉類処理装置と前記紙葉類収容部のうちの他方に前記紙葉類を渡す姿勢変換部と、
を有する紙葉類処理システムで使用される紙葉類処理装置。
【請求項８】
前記姿勢変換部が着脱される着脱部を有する、
請求項７記載の紙葉類処理装置。
【請求項９】
前記着脱部を、前記紙葉類処理装置の前面側、背面側、又は、上面側に有する、請求項８記載の紙葉類処理装置。
【請求項１０】
紙葉類を収納する施錠可能な収納庫と、
前記収納庫の上部に配置される処理部であって、前記紙葉類の投入及び排出の少なくとも一方が行われる開口が設けられるとともに前記開口と前記収納庫との間で前記紙葉類を搬送する搬送部を備える処理部と、を更に備え、
前記着脱部を、前記紙葉類処理装置の前面側であって、前記処理部の下方に有する、請求項９記載の紙葉類処理装置。
【請求項１１】
前記姿勢変換部を、前記紙葉類処理装置内に備える、請求項７記載の紙葉類処理装置。
【請求項１２】
前記紙葉類処理システムは前記紙葉類収容部を複数有し、
前記姿勢変換部は、複数の前記紙葉類収容部と接続され、前記紙葉類処理装置と複数の前記紙葉類収容部との間における前記紙葉類の受け渡しを順次行う、請求項７乃至１１のいずれかに記載の紙葉類処理装置。
【請求項１３】
短手姿勢と長手姿勢のうちの一方の姿勢で紙葉類を搬送し収容する紙葉類処理装置と、
短手姿勢と長手姿勢のうちの他方の姿勢で前記紙葉類を収容する紙葉類収容部と、
前記紙葉類処理装置と前記紙葉類収容部のうちの一方から前記紙葉類を受け取り、短手姿勢と長手姿勢との間で前記紙葉類の搬送姿勢を変換し、前記紙葉類処理装置と前記紙葉類収容部のうちの他方に前記紙葉類を渡す姿勢変換部と、
を有する紙葉類処理システムで使用される紙葉類収容部。
【発明の詳細な説明】
【技術分野】
【０００１】
本発明は、紙葉類を長手姿勢及び短手姿勢で取り扱う紙葉類処理システム、当該紙葉類処理システムで使用される紙葉類処理装置、及び、当該紙葉類処理システムで使用される紙葉類収容部に関する。
【背景技術】
【０００２】
従来、現金自動預け払い機、紙幣入出金機、自動販売機、券売機又は釣り銭機等、様々な紙葉類処理装置が使用されている。
【０００３】
これらの紙葉類処理装置の内、現金自動預け払い機や、紙幣入出金機等、紙幣を一度に大量に取り扱う装置においては、紙幣の処理速度が重要視される。そのような装置においては、紙幣は短手姿勢で取り扱われる。すなわち、紙幣は、短手姿勢で搬送されるとともに、短手姿勢で収容部から取り出され、収容部に収容される。なお、短手姿勢とは、例えば紙幣のような長方形である紙葉類の短辺を進行の前後方向とした姿勢である。言い換えると、短手姿勢とは、紙葉類の長辺が先頭となるように進行する姿勢である。
【０００４】
特許文献１には、紙幣を短手姿勢で取り扱う紙葉類処理装置の一例として、銀行業務において用いられる現金自動取引装置が開示されている。
【０００５】
一方、自動販売機、券売機や釣り銭機等、設置スペースのコンパクト化が重要視される紙葉類処理装置においては、紙幣は長手姿勢で取り扱われる。すなわち、紙幣は、長手姿勢で搬送されるとともに、長手姿勢で収容部から取り出され、収容部に収容される。なお、長手姿勢とは、紙幣のような長方形である紙葉類の長辺を進行の前後方向とした姿勢である。言い換えると、長手姿勢とは、紙葉類の短辺が先頭となるように進行する姿勢である。
【０００６】
特許文献２には、紙幣を長手姿勢で取り扱う紙葉類処理装置の一例として、自動販売機や両替機、或いは遊技用娯楽機器等の内部に搭載される紙幣処理装置が開示されている。
【先行技術文献】
【特許文献】
【０００７】
【特許文献１】特開２００８−０９０６１６号公報
【特許文献２】特開２００３−３４６２１０号公報
【発明の概要】
【発明が解決しようとする課題】
【０００８】
コンビニエンスストア、駅、レジャー施設等、複数種類の紙葉類処理装置が設置される施設においては、紙幣を短手姿勢で取り扱う紙葉類処理装置と紙幣を長手姿勢で取り扱う紙葉類装置の両方が設置されることがある。このような施設においては、紙幣を短手姿勢で取り扱う紙葉類処理装置と紙幣を長手姿勢で取り扱う紙葉類処理装置との間で、紙幣を効率的に移し替えることができなかった。
【０００９】
本発明はこのような状況に鑑み、紙幣を短手姿勢で取り扱う紙葉類処理装置と紙幣を長手姿勢で取り扱う紙葉類処理装置との間で、紙幣を効率的に移し替えることができるようにすることを課題とする。
【課題を解決するための手段】
【００１０】
本発明に係る紙葉類処理システムは、短手姿勢と長手姿勢のうちの一方の姿勢で紙葉類を搬送し収容する紙葉類処理装置と、短手姿勢と長手姿勢のうちの他方の姿勢で前記紙葉類を収容する紙葉類収容部と、前記紙葉類処理装置と前記紙葉類収容部のうちの一方から前記紙葉類を受け取り、短手姿勢と長手姿勢との間で前記紙葉類の搬送姿勢を変換し、前記紙葉類処理装置と前記紙葉類収容部のうちの他方に前記紙葉類を渡す姿勢変換部と、を有する。
【００１１】
また、本発明に係る紙葉類処理装置は、短手姿勢と長手姿勢のうちの一方の姿勢で紙葉類を搬送し収容する紙葉類処理装置と、短手姿勢と長手姿勢のうちの他方の姿勢で前記紙葉類を収容する紙葉類収容部と、前記紙葉類処理装置と前記紙葉類収容部のうちの一方から前記紙葉類を受け取り、短手姿勢と長手姿勢との間で前記紙葉類の搬送姿勢を変換し、前記紙葉類処理装置と前記紙葉類収容部のうちの他方に前記紙葉類を渡す姿勢変換部と、を有する紙葉類処理システムで使用される。
【００１２】
また、本発明に係る紙葉類収容部は、短手姿勢と長手姿勢のうちの一方の姿勢で紙葉類を搬送し収容する紙葉類処理装置と、短手姿勢と長手姿勢のうちの他方の姿勢で前記紙葉類を収容する紙葉類収容部と、前記紙葉類処理装置と前記紙葉類収容部のうちの一方から前記紙葉類を受け取り、短手姿勢と長手姿勢との間で前記紙葉類の搬送姿勢を変換し、前記紙葉類処理装置と前記紙葉類収容部のうちの他方に前記紙葉類を渡す姿勢変換部と、を有する紙葉類処理システムで使用される。
【発明の効果】
【００１３】
本発明によれば、紙幣を短手姿勢で取り扱う紙葉類処理装置と紙幣を長手姿勢で取り扱う紙葉類処理装置との間で、紙幣を効率的に移し替えることができる。
【図面の簡単な説明】
【００１４】
【図１】本発明に係る紙葉類処理システムの第１の実施形態の模式図である。
【図２】本発明に係る紙葉類処理システムの第１の実施形態で使用される紙幣処理システムの右側面模式図である。
【図３】本発明に係る紙葉類処理システムの第１の実施形態の動作時の状態を示す模式図である。
【図４】本発明に係る紙葉類処理システムの第２の実施形態を示す模式図である。
【図５】本発明に係る紙葉類処理システムの第３の実施形態を示す模式図である。
【図６】本発明に係る紙葉類処理システムの第４の実施形態を示す模式図である。
【図７】本発明に係る紙葉類処理システムの第５の実施形態を示す模式図である。
【図８】本発明に係る紙葉類処理システムの第６の実施形態を示す模式図である。
【図９】本発明に係る紙葉類処理システムの第７の実施形態を示す模式図である。
【発明を実施するための形態】
【００１５】
以下、本発明について、図面を参照しながら詳細に説明する。なお、以下の説明において、紙葉類処理装置の「前」とは、紙葉類の投入及び排出の少なくとも一方の操作を開口部を介して行う操作者側を意味し、紙葉類処理装置の「後」とは、その反対側を意味する。また、紙葉類処理装置の「左」とは、前記操作者から見て左側を意味し、紙葉類処理装置の「右」とは、前記操作者からみて右側を意味する。
【００１６】
また、「正常紙幣」とは、後述する識別部によって識別できた真正な紙幣をいい、「リジェクト紙幣」とは、所定の処理で処理対象とできない紙幣をいう。例えば、補充処理において、識別部で識別不能な紙幣や、識別部によって識別されたが補充を許可された金種ではない紙幣や、識別部によって識別されたが搬送異常により装置内に取り込むことができない紙幣などを「補充リジェクト紙幣」という。「正券」とは、正常紙幣のうち、汚れや破れ等が比較的少ない状態の紙幣をいい、「損券」とは、正常紙幣のうち、汚れや破れ等が比較的多い状態の紙幣をいう。
【００１７】
図１に本発明に係る紙葉類処理システムの平面視模式図を示す。図１においてＡは紙葉類処理システム、１は紙葉類処理装置の一例である紙幣処理装置、３は紙葉類収容部の一例である紙幣収容部、４は姿勢変換部である。紙幣収容部３は、第２の紙幣処理装置６に対して着脱自在に構成されている。
【００１８】
紙幣処理装置１は、紙幣を入出金する紙幣入出金機である。紙幣処理装置１の右側面視模式図を図２に示す。紙幣処理装置１は、処理部１０及び処理部１０の下方に設けられた施錠可能な収納庫２０を備える。図２において、左側が紙幣処理装置１の前方、右側が同後方である。
【００１９】
処理部１０は上部筐体１１を有する。上部筐体１１の上部前方には、入金口（開口）１２１と出金口（開口）１３１が設けられている。上部筐体１１内には、搬送部１５、識別部１６、一時保留部１７及び制御部１８が配置されている。
【００２０】
入金口１２１の近傍には、所定の周期で紙幣を１枚ずつ短手姿勢で搬送部１５に繰り出す紙幣繰り出し機構（図示略）が配置されている。入金口１２１と紙幣繰り出し機構によって入金部１２が構成されている。
【００２１】
出金口１３１の近傍には、紙幣を積み重ねる集積機構（図示略）が配置されている。出金口１３１と集積機構によって出金部１３が構成されている。必要に応じて、出金部１３と同様の構成を有する第２出金部１４を出金部１３の隣に設けてもよい。
【００２２】
なお、処理部１０の上部前方には、必要に応じて入金部１２と出金部１３のいずれか一方のみが設けられていてもよい。また、処理部１０の上部前方には、紙幣の入金及び出金の両方が行われる開口が設けられるとともに、この開口の周囲に紙幣繰り出し機構及び集積機構が配置されることによって、入出金部が設けられていてもよい。
【００２３】
搬送部１５は、紙幣を短手姿勢で、所定の搬送速度で搬送する。搬送部１５は、紙幣を搬送するベルト機構やローラ機構によって構成されている。搬送部１５は、紙幣を双方向に搬送可能とするループ状搬送路１５０と、このループ状搬送路１５０から分岐する第１分岐路１５１、第２分岐路１５２、第３分岐路１５３、第４分岐路１５４及び第５分岐路１５５を有している。第１分岐路１５１〜第５分岐路１５５は、それぞれ、ループ状搬送路１５０と入金部１２、出金部１３、一時保留部１７、姿勢変換部４及び、後述する収納ユニット２１とを接続する。なお、図１に示される紙幣処理装置１は、第５分岐路１５５を６つ有している。
【００２４】
識別部１６は、画像センサ、光学センサ、磁気センサ等のセンサを備えており、搬送部１５で搬送される紙幣の真偽、金種、正損等を識別する。
【００２５】
一時保留部１７は、紙幣を一時的に収納する。一時保留部１７は、短手姿勢で紙幣を１枚ずつ取り込んで収納し、収納している紙幣を１枚ずつ短手姿勢で繰り出す。一時保留部１７は、例えば、複数の紙葉類が回転体に巻き取られた状態で収納される巻き取り式の収納部で構成することができる。
【００２６】
制御部１８は、少なくともＣＰＵとメモリを備えている。制御部１８は、搬送部１５を介して、入金部１２、出金部１３、一時保留部１７、収納ユニット２１及び紙幣収容部３の間で紙幣が搬送されるように、紙幣処理装置１を構成する各部を制御する。また、制御部１８は、姿勢変換部４や紙幣収容部３の動作を制御する。
【００２７】
収納庫２０は施錠可能な収納庫扉２２を有している。収納庫２０は例えば金庫で構成することができる。収納庫２０内には、６つの収納ユニット２１が配置されている。
【００２８】
各収納ユニット２１内には、１つの収納領域Ｓが設けられている。この収納領域Ｓは、例えば、複数の紙葉類が積層状態で収納される積層式の収納領域である。紙幣はこの収納領域Ｓを短手姿勢で出入りする。
【００２９】
前方から１番目の第５分岐路１５５は、前方から１番目に配置された収納ユニット２１内の収納領域Ｓと接続されている。前方から２番目〜６番目の第５分岐路１５５も同様に、それぞれ前方から２番目〜６番目の収納ユニット２１内の収納領域Ｓと接続されている。
【００３０】
紙幣処理装置１は以上のように構成されているので、計６つの収納領域Ｓを有している。よって、識別部１６で紙幣を識別することによって、真偽、正損又は金種等に応じて紙幣を６種類に分類し、搬送部１５を制御して搬送先を切り替えることによって、種類別に収納領域Ｓを割り当てて紙幣を収納することができる。出金部１３や一時保留部１７を利用することで更に多種類に紙幣を分類して搬送先を切り替えることができることは勿論である。
【００３１】
紙幣処理装置１は、姿勢変換部４が着脱される着脱部１９を有する。本実施形態において、着脱部１９は、収納庫２０の前側であって、処理部１０の下方に設けられている。
【００３２】
図１に戻って紙幣収容部３について説明する。紙幣収容部３は、第２の紙幣処理装置６が着脱自在に備える紙幣収容部である。紙幣収容部３は収容部筐体３１を有する。紙幣収容部３は収容部筐体３１の内部に、巻き取り式の収納機構３２を有する。この収納機構３２は、複数の紙葉類を、回転体に長手姿勢で巻き取って収納する。収容部筐体３１の外面には、紙幣収容部３を姿勢変換部４や第２の紙幣処理装置６に着脱自在に取り付けるための被取付部３３が設けられている。本実施形態においては、巻き取り式の収納機構３２の動作は制御部１８によって制御される。なお、紙幣収容部３が、巻き取り式の収納機構３２の動作を制御する制御部を別途有していてもよい。紙幣収容部３の制御部は、紙幣処理装置１の制御部１８や後述の姿勢変換部４の制御部と連携して動作してもよい。
【００３３】
なお、第２の紙幣処理装置６は、例えば、釣り銭機である。第２の紙幣処理装置６において、紙幣は長手姿勢で搬送及び収容される。第２の紙幣処理装置６は、紙幣収容部３を筐体の内部に着脱自在に収納してもよいし、筐体の外側に着脱自在に取り付けてもよい。第２の紙幣処理装置６と紙幣収容部３のどちらにおいても紙幣は長手姿勢で搬送及び収容されるので、第２の紙幣処理装置６と紙幣収容部３の間に姿勢変換部４を設ける必要はない。紙幣収容部３を用いて、紙幣処理装置１と第２の紙幣処理装置６の間で紙幣の移し替えが行われる。紙幣処理装置１から第２の紙幣処理装置６へ紙幣を移し替える処理は、紙幣処理装置１から見た場合は回収処理といい、第２の紙幣処理装置６から見た場合は補充処理という。逆に、第２の紙幣処理装置６から紙幣処理装置１へ紙幣を移し替える処理は、紙幣処理装置１から見た場合は補充処理といい、第２の紙幣処理装置６から見た場合は回収処理という。このような回収処理や補充処理において、紙幣収容部３を用いて２つの処理装置の間で紙幣を移し替えることができるので、紙幣が人手に触れることがないのでセキュリティ性を向上させることができ、また、紙幣を移し替える効率を向上させることができる。
【００３４】
引き続き図１を参照しながら姿勢変換部４について説明する。姿勢変換部４は、変換部筐体４１と、紙幣処理装置１又は紙幣収容部３との間で紙幣の受渡を行う２つの受渡部４２と、２つの受渡部４２の間に配置される姿勢変換機構４３とを有する。一方の受渡部４２によって受け入れられた紙幣は、姿勢変換機構４３によって、搬送姿勢が短手姿勢と長手姿勢との間で変換され、他方の受渡部４２から送り出される。本実施形態においては、姿勢変換機構４３の動作は制御部１８によって制御される。なお、姿勢変換部４が、姿勢変換機構４３の動作を制御する制御部を別途有していてもよい。姿勢変換部４の制御部は、紙幣処理装置１の制御部１８と連携して動作してもよいし、紙幣処理装置１の制御部１８とは無関係に独立して動作してもよい。また、姿勢変換部４の制御部は、巻き取り式の収納機構３２の動作を制御してもよい。
【００３５】
変換部筐体４１には、姿勢変換部４を紙幣処理装置１に着脱するために着脱部１９と連携する被着脱部４４が設けられている。更に変換部筐体４１には、紙幣収容部３を姿勢変換部４に着脱するために被取付部３３と連携する取付部４５が設けられている。着脱部１９及び被着脱部４４、並びに、取付部４５及び被取付部３３には、２つの部材を着脱可能に取り付ける際に用いられる公知の機構の中から任意のものを採用することができる。また、紙幣収容部３が、巻き取り式の収納機構３２を駆動するためのモータ等の駆動機構を有さない場合がある。このような場合は、姿勢変換部４が駆動機構を備え、取り付けられた紙幣収容部３の巻き取り式の収納機構３２に駆動を伝達するようにしてもよい。
【００３６】
本実施形態に係る姿勢変換部４において、２つの受渡部４２と姿勢変換機構４３は、一方の受渡部４２と姿勢変換機構４３との接続方向と、他方の受渡部４２と姿勢変換機構４３との接続方向とが９０度の角度で交わるように配置される。図１中に矢印で示されるように、短手姿勢及び長手姿勢のうちの一方の姿勢で受け入れられた紙幣Ｂは、それ自身が回転されることはなく、その搬送方向が姿勢変換機構４３によって９０度転換される。その結果、紙幣Ｂは短手姿勢及び長手姿勢のうちの他方の搬送姿勢で姿勢変換部４から送り出される。このような姿勢変換機構は、例えば特許第４７３２９６６号公報に開示されているとおり公知の技術であるため、本明細書ではその詳しい説明を省略する。
【００３７】
図３に、姿勢変換部４が紙幣処理装置１に取り付けられ、紙幣収容部３が姿勢変換部４に取り付けられた状態を示す。図１及び図３を参照しながら、本実施形態に係る紙葉類処理システムＡの動作の一例を説明する。
【００３８】
まず、紙幣収容部３を用いて紙幣処理装置１に紙幣を補充する補充処理について説明する。制御部１８から紙幣排出指令を受けると、紙幣収容部３は、巻き取り式の収納機構３２から姿勢変換部４に紙幣Ｂを長手姿勢で１枚ずつ供給する。
【００３９】
姿勢変換部４は、長手姿勢で供給される紙幣Ｂを、一方の受渡部４２で受け取り、姿勢変換機構４３で搬送姿勢を短手姿勢に変換する。続いて姿勢変換部４は、他方の受渡部４２を介して、紙幣Ｂを短手姿勢で第４分岐路１５４に供給する。
【００４０】
第４分岐路１５４に短手姿勢で供給された紙幣Ｂは、ループ状搬送路１５０内を短手姿勢で搬送され、識別部１６で識別される。識別部１６で識別された紙幣Ｂは、その識別結果に応じて、６つの収納ユニット２１のいずれかに短手姿勢で搬送され、短手姿勢で収納される。
【００４１】
なお、紙幣処理装置１を右から見て（図３において）時計回りに、ループ状搬送路１５０内で紙幣を搬送すれば、識別部１６で識別された紙幣を６つの収納ユニット２１に種類別に直接収納することができるので、大量の紙幣Ｂを短時間で処理することができる。
【００４２】
一方、ループ状搬送路１５０内で、紙幣Ｂを紙幣処理装置１を右から見て反時計回りに搬送することも可能である。この場合、識別部１６で識別された紙幣Ｂのうち、リジェクト紙幣を出金部１３に搬送するとともに、その他の紙幣を一時保留部１７に一時的に保留しておくことができる。なお、一時保留部１７に保留された紙幣は、紙幣収容部３内に収容されている紙幣を全て一時保留部１７又は出金部１３に搬送し終わった後に、６つの収納ユニット２１に種類別に収納される。
【００４３】
本実施形態においては、姿勢変換部４を取り付けるための着脱部１９は、紙幣処理装置１の前面側に設けられている。よって、紙幣処理装置１を前面側から操作する操作者が、姿勢変換部４を紙幣処理装置１に容易に取り付けることができるという利点が得られる。
【００４４】
更に、本実施形態においては、着脱部１９が、処理部１０の下方に設けられているので、処理部１０内の機器配置に影響を及ぼさない。その結果、例えば、処理部１０内の前方側に一時保留部１７を設けることができる。よって、一時保留部１７を利用した様々な紙幣処理を行うことができるという利点が得られる。なお、一時保留部１７を設ける必要がない場合は、着脱部１９を処理部１０の前面側に設け、ループ状搬送路１５０と姿勢変換部４とを直線状の第４分岐路１５４で接続しても良いことは勿論である。
【００４５】
次に、紙幣収容部３を用いて紙幣処理装置１から紙幣を回収する回収処理について説明する。制御部１８から紙幣受入指令を受けると、紙幣収容部３は、姿勢変換部４から供給される紙幣Ｂを巻き取り式の収納機構３２に収納するための待機状態となる。
【００４６】
回収処理の対象となる紙幣Ｂは、６つの収納ユニット２１のいずれかから繰り出される。収納ユニット２１から短手姿勢で繰り出された紙幣Ｂは、第５分岐路１５５を経由してループ状搬送路１５０に供給される。紙幣Ｂは、紙幣処理装置１を右から見て（図３において）反時計回りに、ループ状搬送路１５０内で搬送され、識別部１６で識別される。識別部１６で識別された紙幣Ｂは、回収処理の金種であることが確認され、第４分岐路１５４を経由して姿勢変換部４に短手姿勢で供給される。
【００４７】
姿勢変換部４は、短手姿勢で供給される紙幣Ｂを、他方の受渡部４２で受け取り、姿勢変換機構４３で搬送姿勢を長手姿勢に変換する。続いて姿勢変換部４は、一方の受渡部４２を介して、紙幣Ｂを長手姿勢で紙幣収容部３に供給する。
【００４８】
紙幣収容部３は、姿勢変換部４から供給される紙幣Ｂを巻き取り式の収納機構３２に収納する。
【００４９】
図４に本発明に係る紙葉類処理システムの第２の実施形態を示す。本実施形態は、施錠可能な収納庫扉２２の前方に、収納庫扉２２の前方の空間を幅広に覆うカバー２３を収納庫２０が有している点で第１の実施形態と相違する。また、紙幣処理装置１に対して姿勢変換部４が起立したような状態で取り付けられる点で相違する。
【００５０】
本実施形態においては、着脱部１９に取り付けられた姿勢変換部４、及び姿勢変換部４に取り付けられた紙幣収容部３を、カバー２３で覆うことができる。よって、紙幣収容部３と紙幣処理装置１との間で紙幣を移し替えている間、紙幣収容部３及び姿勢変換部４が人目につくことを防止することができ、より安全且つ効率的に紙幣の移し替え作業を行うことができる。
【００５１】
図５に本発明に係る紙葉類処理システムの第３の実施形態を示す。本実施形態においては、着脱部１９は処理部１０の背面側に設けられている。また、紙幣処理装置１は、壁Ｗに設けられた貫通孔Ｈに途中まで挿入された状態で設置されている。
【００５２】
本実施形態においては、紙幣処理装置１を前面側から操作する者等、紙幣処理装置１の前面側にいる者は、壁Ｗがあるため、紙幣処理装置１の背面側にアクセスすることができない。よって、本実施形態によれば、紙幣収容部３及び姿勢変換部４を用いて紙幣処理装置１に紙幣を補充したり、紙幣処理装置１から紙幣を回収したりする作業を、施設の係員や警備輸送業者等の作業者が安全に行うことができるという利点が得られる。
【００５３】
なお、壁Ｗがある場合、作業者は紙幣処理装置１の背面側から前面側にすぐには移動できない。よって、紙幣処理装置１の背面側に配置された紙幣収容部３から紙幣処理装置１内に紙幣が補充された場合には、リジェクト紙幣は出金部１３ではなく一時保留部１７に搬送され収納される。したがって、リジェクト紙幣を安全に管理することができる。なお、一時保留部１７に収納されたリジェクト紙幣は、そのまま一時保留部１７に収納させておいてもよいし、紙幣収容部３が空になった後に、紙幣収容部３に戻すようにしてもよい。
【００５４】
図６に本発明に係る紙葉類処理システムの第４の実施形態を示す。本実施形態においては、着脱部１９は処理部１０の上面側に設けられている。すなわち、姿勢変換部４は処理部１０の上面に取り付けられる。
【００５５】
本実施形態においては、姿勢変換部４に接続される第４分岐路１５４は、入金部１２と識別部１６の間の位置でループ状搬送路１５０に接続される。また、ループ状搬送路１５０内において、紙幣処理装置１を右から見て（図６において）時計回りに紙幣が搬送される。よって、紙幣収容部３からループ状搬送路１５０内に供給された紙幣を、識別部１６で識別した後、識別結果に応じて、６つの収納ユニット２１と、一時保留部１７と出金部１３のいずれかに直接搬送することができる。したがって、短時間で大量の紙幣の処理を行うことができる。
【００５６】
図７に本発明に係る紙葉類処理システムの第５の実施形態を示す。本実施形態においては、紙幣処理装置１は、収納庫２０の下に第２収納庫５０を有している。第２収納庫５０内には第２収納ユニット５１が配置されている。紙幣処理装置１は、収納庫２０を貫通し、ループ状搬送路１５０と第２収納ユニット５１とを接続する鉛直搬送路５２を有している。また、第２収納庫５０内には、鉛直搬送路５２から分岐する第６分岐路５３が設けられている。着脱部１９は第２収納庫５０の前面側に設けられている。
【００５７】
本実施形態によれば、処理部１０や収納庫２０の内部に第４分岐路１５４を設けるスペースがない場合や、処理部１０や収納庫２０の周囲に姿勢変換部４を取り付けるスペースがない場合にも、姿勢変換部４を紙幣処理装置１に取り付けることができる。よって、そのような場合にも、姿勢変換部４を介して紙幣処理装置１と紙幣収容部３との間で紙幣を効率的に移し替えることができる。
【００５８】
なお、本実施形態においては、着脱部１９を第２収納庫５０の前面側に設けているが、着脱部１９を第２収納庫５０の背面側に設けてもよい。その場合、姿勢変換部４及び紙幣収容部３を紙幣処理装置１の後側に取り付けることができる。よって、紙幣処理装置１を壁Ｗに設けられた貫通孔Ｈ（図５参照）に途中まで挿入された状態で設置する場合、第３の実施形態と同様の利点を得ることができる。
【００５９】
図８に本発明に係る紙葉類処理システムの第６の実施形態を示す。図８（Ａ）は、姿勢変換部４を介して紙幣収容部３が取り付けられた紙幣処理装置１の正面模式図である。図８（Ｂ）は、図８（Ａ）に示される姿勢変換部４の平面模式図である。図８（Ｃ）は、図図８（Ａ）に示される紙幣処理装置１、紙幣収容部３及び姿勢変換部４の右側面模式図である。また、図中に示される矢印は、紙幣の搬送される方向の一例を示している。
【００６０】
本実施形態においては、姿勢変換部４は２つの紙幣収容部３を上下に並べて取り付けることができる受渡路４６を有している。受渡路４６は、２つの紙幣収容部３それぞれに接続され、各紙幣収容部３との間で紙幣の受渡が可能である。受渡路４６の上端は一方の受渡部４２を介して姿勢変換機構４３に接続されている。姿勢変換部４のその他の構成は、図１に示される姿勢変換部４の構成と同様である。
【００６１】
本実施形態においては、一方の紙幣収容部３から、長手姿勢で紙幣Ｂが供給され、受渡路４６によって長手姿勢で紙幣Ｂが鉛直方向に搬送される。一方の受渡部４２に達すると、紙幣Ｂは搬送方向が鉛直方向から水平方向に転換され、姿勢変換機構４３に長手姿勢で搬送される。紙幣Ｂは、姿勢変換機構４３において回転することなく搬送方向が９０度転換され、短手姿勢で他方の受渡部４２を介して紙幣処理装置１へと供給される。
【００６２】
本実施形態においては、一方の紙幣収容部３と紙幣処理装置１との間で紙幣Ｂを移し替えている間に、他方の紙幣収容部３を姿勢変換部４に取り付けることができる。そして、一方の紙幣収容部３と紙幣処理装置１との間における紙幣Ｂの移し替え作業の終了に引き続いて、他方の紙幣収容部３と紙幣処理装置１との間における紙幣Ｂの移し替え作業を連続的に行うことができる。更に、その間に、一方の紙幣収容部３を別の紙幣収容部３と交換することができる。よって、多数の紙幣収容部３と紙幣処理装置１との間における紙幣Ｂの移し替え作業を連続的に短時間で行うことができる。なお、姿勢変換部４に取り付けられる紙幣収容部３の数を３以上としてもよいことは勿論である。また、一方の紙幣収容部３から紙幣処理装置１へ補充処理を行う際に、リジェクト紙幣を他方の紙幣収容部３に収納するようにしてもよい。これにより、紙幣処理装置１に、リジェクト紙幣を収納するための一時保留部１７を設ける必要がなくなる。
【００６３】
図９に本発明に係る紙葉類処理システムの第７の実施形態を示す。本実施形態においては、姿勢変換部４は処理部１０内に配置されている。本実施形態においては、処理部１０の右側面に、紙幣収容部３が取り付けられる取付部４５が設けられている。取付部４５に取り付けられた紙幣収容部３から、長手姿勢で搬送される紙幣が姿勢変換部４に供給され、姿勢変換部４で搬送姿勢が短手姿勢に変換され、ループ状搬送路１５０に紙幣が短手姿勢で供給される。
【００６４】
本実施形態によれば、紙幣処理装置１に姿勢変換部４を取り付ける作業を行うことなく、短手姿勢で紙幣を取り扱う紙幣処理装置１と長手姿勢で紙幣を取り扱う紙幣収容部３との間で紙幣を効率的に移し替えることができる。
【００６５】
また、本実施形態においては、入金部１２から入金された紙幣を、種類別に分別して収納ユニット２１又は紙幣収容部３に収容することも可能である。例えば新２０ユーロ紙幣のように、紙幣の短辺と平行に帯状のポリマー又はスレッドが取り付けられた紙幣を、長手方向に収納し、その他の紙幣を短手方向で収納することができる。
【００６６】
すなわち、本実施形態によれば、入金口１２１から入金された紙幣を識別部１６で識別する際、上記ポリマー等が取り付けられている紙幣か否かを識別し、識別結果に従って、搬送先を切り替えることができる。上記ポリマー等が取り付けられていない紙幣は、収納ユニット２１に短手姿勢で収容することができる。また、上記ポリマー等が取り付けられている紙幣は、姿勢変換部４で搬送姿勢を短手姿勢から長手姿勢に変換した後、紙幣収容部３で長手方向に巻き取って収納することができる。このように、本実施形態に係る紙幣処理システムＡによれば、種々の紙幣が混在した状態でも適切に分別収納することができる。
【００６７】
なお、処理部１０内に配置される姿勢変換部４を、図８に示される姿勢変換部４と同じように構成することも可能である。その場合、複数の紙幣収容部３が紙幣処理装置１に取り付けられる。よって、図８に示される第６の実施形態と同様に、紙幣処理装置１と紙幣収容部３との間における紙幣の移し替え作業を連続的に短時間で行うことができる。更に、入金口１２１から入金された紙幣の内、長手姿勢で収容することが好ましい紙幣を、種類ごとに分けて、複数の紙幣収容部３内に長手姿勢で分別して収容することができる。
【００６８】
以上本発明の実施例について説明したが、本発明は上記実施例に限定されるものではなく、本発明の趣旨を逸脱しない範囲で種々の変更が可能である。
【００６９】
例えば、紙幣収容部３は、複数の紙葉類が回転体に長手姿勢で巻き取られた状態で収納される巻き取り式の収納機構３２に限らず、複数の紙葉類が積層状態で収納される積層式の収納領域を有するものであってもよい。また、紙幣収容部３が紙幣を短手姿勢で取り扱い、紙幣処理装置１が紙幣を長手姿勢で取り扱うものであってもよい。
【００７０】
また、姿勢変換部４は、２つの受渡部４２と姿勢変換機構４３とが一直線に並ぶように配置されたものであってもよい。この場合、短手姿勢及び長手姿勢のうちの一方の姿勢で受け入れられた紙幣は、それ自身が姿勢変換機構４３によって９０度回転される。紙幣の搬送方向は転換されない。その結果、紙幣は短手姿勢及び長手姿勢のうちの他方の搬送姿勢で姿勢変換部４から送り出される。このような姿勢変換機構は、例えば特開２００１−２６６２１５号公報に開示されているとおり公知の技術であるため、本明細書ではその詳しい説明を省略する。
【００７１】
また、紙葉類処理装置は紙幣処理装置に限定されず、小切手や伝票などの紙や樹脂から作られたシート類を含む紙葉類を処理する装置であってもよい。
【産業上の利用可能性】
【００７２】
本発明によれば、紙葉類を短手方向で取り扱う紙葉類処理装置と、紙葉類を長手方向で取り扱う紙葉類処理装置との間で、いずれかの紙葉類処理装置が着脱可能に備える紙葉類収容部を介して、紙葉類の移し替えを効率的に行うことができるようになる。よって、その産業上の利用可能性は多大である。
【符号の説明】
【００７３】
Ａ  紙葉類処理システム
１  紙幣処理装置
１０  処理部
１１  上部筐体
１２  入金部
１２１  入金口（開口）
１３  出金部
１３１  出金口（開口）
１４  第２出金部
１５  搬送部
１５０  ループ状搬送路
１５１  第１分岐路
１５２  第２分岐路
１５３  第３分岐路
１５４  第４分岐路
１５５  第５分岐路
１６  識別部
１７  一時保留部
１８  制御部
１９  着脱部
２０  収納庫
２１  収納ユニット
２２  収納庫扉
２３  カバー
３  紙幣収容部
３１  収容部筐体
３２  収納機構
３３  被取付部
４  姿勢変換部
４１  変換部筐体
４２  受渡部
４３  姿勢変換機構
４４  被着脱部
４５  取付部
４６  受渡路
５０  第２収納庫
５１  第２収納ユニット
５２  鉛直搬送路
５３  第６分岐路
６  第２の紙幣処理装置
Ｓ  収納領域
Ｂ  紙幣
Ｈ  貫通孔
Ｗ  壁
【図１】
2018152029.tif 000003
【図２】
2018152029.tif 000004
【図３】
2018152029.tif 000005
【図４】
2018152029.tif 000006
【図５】
2018152029.tif 000007
【図６】
2018152029.tif 000008
【図７】
2018152029.tif 000009
【図８】
2018152029.tif 000010
【図９】
2018152029.tif 000011